(57)【要約】【課題】テザリングを適切に実施することが可能な携帯端末を提供する。【解決手段】テザリング機能による通信を行う携帯端末１０は、ＧＰＳ衛生から信号を受信するＧＰＳ受信部１０１と、前記ＧＰＳ受信部１０１で受信される信号の受信強度が予め定められた閾値以上であるか否かを判別する判別部１０２と、前記判別部１０２にて前記受信強度が前記閾値以上であると判別された場合、前記テザリングの実施を抑止するテザリング制御部１０６とを備えることを特徴とする。【選択図】図２
2014107706.tif 000002
【特許請求の範囲】
【請求項１】
テザリング機能による通信を行う携帯端末であって、
ＧＰＳ受信部と、
前記ＧＰＳ受信部で受信される信号の受信強度が予め定められた閾値以上であるか否かを判別する判別部と、
前記判別部にて前記受信強度が前記閾値以上であると判別された場合、前記テザリングの実施を抑止するテザリング制御部とを備える
ことを特徴とする携帯端末。
【請求項２】
前記テザリング制御部は、前記テザリングで利用可能な複数の周波数帯のうち一の周波数帯を特定し、
前記特定した前記周波数帯が所定の周波数帯に該当するか否かを判断し、
前記特定した前記周波数帯が前記所定の周波数帯に該当しないと判断した場合に、特定した前記周波数帯でテザリングを実施する
ことを特徴とする請求項１に記載の携帯端末。
【請求項３】
前記テザリング制御部は、
前記複数の周波数帯のうち、ユーザによって選択された一の周波数帯を受け付けることで、前記特定を行う
ことを特徴とする請求項２に記載の携帯端末。
【請求項４】
前記携帯端末は、さらに、
前記判別部で前記受信強度が前記閾値以上であると判別された場合、前記複数の周波数帯のうち前記特定された周波数帯を除く残りの周波数帯に対して、
前記所定の周波数帯に該当しない周波数帯が特定されるまで、前記テザリング制御部による前記特定及び前記判断と、前記判別部による前記判別を繰り返すよう制御する制御部を備える
ことを特徴とする請求項２に記載の携帯端末。
【請求項５】
前記テザリング制御部は、
前記判別部で前記受信強度が前記閾値以上であると判別された場合、
前記複数の周波数帯のうち、前記所定の周波数帯に該当する周波数帯を除く残りの周波数帯から一の周波数帯を特定し、特定した前記一の周波数帯でテザリングを実施する
ことを特徴とする請求項１に記載の携帯端末。
【請求項６】
テザリング機能による通信を行う携帯端末で用いられる制御方法であって、
ＧＰＳ衛星から信号を受信するＧＰＳ受信ステップと、
前記ＧＰＳ受信ステップで受信される信号の受信強度が予め定められた閾値以上であるか否かを判別する判別ステップと、
前記判別ステップにて前記受信強度が前記閾値以上であると判別された場合、前記テザリングの実施を抑止するテザリング制御ステップとを含む
ことを特徴とする制御方法。
【発明の詳細な説明】
【技術分野】
【０００１】
本発明は、無線通信によるテザリング機能を有する携帯端末に関する技術である。
【背景技術】
【０００２】
携帯電話機のような携帯端末は、手軽に持ち運べるという便利さから屋内、屋外において利用されている（特許文献１参照）。
ところで、近年、携帯端末で、無線通信によるテザリング機能を有するものがある。無線通信によるテザリングとは、テザリング機能を有する携帯端末を無線ＬＡＮ（Ｌｏｃａｌ  Ａｒｅａ  Ｎｅｔｗｏｒｋ）のルータ、つまりアクセスポイント（ＡＰ）として動作させ、パーソナルコンピュータ（ＰＣ）等の端末（以下、「終端端末」という。）をインターネットに接続する機能である。テザリング機能が実施されると、ＰＣ等の端末と携帯端末とは無線により接続され、携帯端末とインターネットとは電話回線網により接続される。なお、以下において、無線通信によるテザリング機能を、単にテザリング機能と呼ぶ。
【０００３】
テザリング機能を利用するために、ユーザは、先ずテザリングに利用すべき周波数帯として利用可能な複数の周波数帯のうち一の周波数帯を携帯端末に予め設定しておく。そして、ユーザがキー操作等によりテザリング機能の開始を携帯端末に指示することで、予め設定した周波数帯でテザリングが実行される。
このように、携帯端末にテザリング機能を備えさせることで、携帯端末を手軽に持ち運べるという利点を利用して、ユーザは屋内、屋外でテザリング機能を利用することができる。
【先行技術文献】
【特許文献】
【０００４】
【特許文献１】特開２００３−０８７３６１号公報
【発明の概要】
【発明が解決しようとする課題】
【０００５】
現在、テザリングに利用できる周波数帯は複数ある。例えば、日本では、２．４ＧＨｚ帯、５．２ＧＨｚ帯、５．３ＧＨｚ帯及び５．６ＧＨｚ帯がテザリングに利用できる周波数帯である。これら周波数帯のうち、５．２ＧＨｚ帯は地球探査衛星を用いた通信に、５．３ＧＨｚ帯は気象衛星を用いた通信に利用されている。ほとんどのユーザは、５．２ＧＨｚ帯や５．３ＧＨｚ帯が地球探査衛星や気象衛星を用いた通信に用いられていることを知らない。そのため、ユーザが、テザリングに利用する周波数帯として予め設定された５．２ＧＨｚ帯又は５．３ＧＨｚ帯でテザリングを実行すると、テザリングの実施場所によっては、地球探査衛星や気象衛星といった衛星を用いた通信に影響を与える可能性がある。
【０００６】
そこで、本発明は、上記問題に鑑みて、テザリングを適切に実施することが可能な携帯端末、及び制御方法を提供することを目的とする。
【課題を解決するための手段】
【０００７】
上記目的を達成するために、本発明は、テザリング機能による通信を行う携帯端末であって、ＧＰＳ受信部と、前記ＧＰＳ受信部で受信される信号の受信強度が予め定められた閾値以上であるか否かを判別する判別部と、前記判別部にて前記受信強度が前記閾値以上であると判別された場合、前記テザリングの実施を抑止するテザリング制御部とを備えることを特徴とする。
【発明の効果】
【０００８】
上記構成によると、テザリングを適切に実施することが可能な携帯端末を提供することができる。
【図面の簡単な説明】
【０００９】
【図１】携帯端末（携帯電話機）１０の外観を示す図である。
【図２】携帯端末１０の構成を示すブロック図である。
【図３】周波数情報テーブルＴ１００のデータ構造の一例を示す図である。
【図４】（ａ）は２ＧＨｚ帯及び５ＧＨｚ帯の何れかをユーザに選択させるための選択画面Ｇ１００の一例を示す図であり、（ｂ）は５．２ＧＨｚ帯、５．３ＧＨｚ帯及び５．６ＧＨｚ帯の何れかをユーザに選択させるための選択画面Ｇ２００の一例を示す図である。
【図５】携帯端末１０のテザリング機能実施に係る処理を示す流れ図である。
【図６】変形例におけるテザリング機能実施に係る処理を示す流れ図である。
【発明を実施するための形態】
【００１０】
１．実施の形態
以下、本発明の一実施形態である携帯端末１０について説明する。
１．１  概要
携帯端末１０は、例えば、携帯電話機に適用され、その外観について図１を参照しつつ説明する。
【００１１】
携帯端末１０はタッチパネル機能を有しており、液晶ディスプレイ（Ｌｉｑｕｉｄ  Ｃｒｙｓｔａｌ  Ｄｉｓｐｌａｙ）１１と、キー操作部１２、スピーカ１３及びマイクロフォン１４とが配置されている。
液晶ディスプレイ１１では、画像などを表示するとともに、タッチパネル機能よりユーザからのタッチ入力や文字入力を受け付ける。
【００１２】
キー操作部１２は、筐体の側面に配置された１つ以上のキーを含んで構成され、キー入力を受け付ける。
スピーカ１３は、外部に対して音を発する。
マイクロフォン１４は、外部からの音を取得する。
携帯端末１０は、テザリング機能を有しており、テザリング機能を実施することで終端端末がインターネットを利用する際のアクセスポイントとして動作する。携帯端末１０がテザリング機能を実施する際には、テザリングに利用する周波数帯の候補として、テザリングに実施可能な複数の周波数帯から一の周波数帯をユーザに選択させる。または、後述するように、端末が自動でテザリングに用いる周波数を設定してもよい。そして、携帯端末１０は、現在位置において選択された周波数帯でデザリングを実施することで、当該テザリング機能による無線通信以外の通信であって、地球探査衛星や気象衛星といった衛星を用いた通信（以下、「他の通信」という。）に影響を与える場合には、テザリングに利用する周波数帯の候補としてユーザに他の周波数帯を再度選択させ、影響を与えない場合には選択された周波数帯でテザリングを実施する。なお、テザリング実施時における携帯端末とインターネットとの接続は、電話回線網を介して行われる。
【００１３】
１．２  構成
ここでは、携帯端末１０において、テザリング機能に係る構成について説明する。
携帯端末１０は、図２に示すように、記憶部１００、ＧＰＳ（Ｇｌｏｂａｌ  Ｐｏｓｉｔｉｏｎｉｎｇ  Ｓｙｓｔｅｍ）受信部１０１、判別部１０２、通信部１０３、受付部１０４、表示部１０５及びテザリング制御部１０６から構成されている。また、テザリング制御部１０６は、図２に示すように、周波数帯特定部１１０及び無線部１１１を有している。
【００１４】
なお、携帯端末１０は、図２においてはテザリング機能に係る構成要素だけを示しているが、その他キー操作部１２や電話機能に係る構成要素など、携帯電話機としての機能を備えている。
また、携帯端末１０は、プロセッサ及びメモリを含んで構成されており、判別部１０２、受付部１０４、表示部１０５及び周波数帯特定部１１０それぞれの機能は、メモリに記憶されているプログラムをプロセッサが実行することにより実現される。
【００１５】
以下、各構成要素について説明する。
（１）記憶部１００
記憶部１００は、テザリングに利用可能な複数の周波数帯それぞれについて、当該周波数帯が他の通信で用いられる周波数帯に該当するか否かを示す周波数情報を記憶するものである。
【００１６】
具体的には、記憶部１００は、図３に示す周波数情報テーブルＴ１００を有している。
周波数情報テーブルＴ１００では、テザリングに利用可能な複数の周波数帯（ここでは、２．４ＧＨｚ帯、５．２ＧＨｚ帯、５．３ＧＨｚ帯、５．６ＧＨｚ帯、５．８ＧＨｚ帯）それぞれについて、当該携帯端末１０が使用される国ごとに、周波数情報が対応付けられている。
【００１７】
周波数情報は、０又は１の値からなるものであり、周波数情報が示す値が１である場合には当該周波数情報に対応する周波数帯は他の通信で用いられる周波数帯に該当しないことを、周波数情報が示す値が０である場合には当該周波数情報に対応する周波数帯は他の通信で用いられる周波数帯に該当することを示す。なお、日本及び欧州では、周波数帯“５．８ＧＨｚ帯”は、テザリングに利用できないため、この周波数帯に対応する周波数情報は設定されないが、説明の便宜上、図３の周波数情報テーブルＴ１００では「−」を記載している。
【００１８】
周波数情報テーブルＴ１００によると、例えば日本においてはテザリングに利用可能な周波数帯は、２．４ＧＨｚ帯、５．２ＧＨｚ帯、５．３ＧＨｚ帯、５．６ＧＨｚ帯の４つの周波数帯であり、そのうち５．２ＧＨｚ帯、５．３ＧＨｚ帯の周波数帯に対応する周波数情報は値“０”を示しているため、これら周波数帯は、他の通信で用いられる周波数帯に該当することを示している。
【００１９】
周波数情報テーブルＴ１００で示すように、日本においては、周波数情報に値“０”が設定されている５．２ＧＨｚ帯及び５．３ＧＨｚ帯の周波数帯は、それぞれ地球探査衛星及び気象衛星における通信に用いられている。そのため、例えば屋外で、５．２ＧＨｚ帯及び５．３ＧＨｚ帯の周波数帯でテザリングが携帯端末１０により実施されると、これら衛星が行う通信に影響を与えるおそれがある。
【００２０】
（２）ＧＰＳ受信部１０１
ＧＰＳ受信部１０１は、ＧＰＳで用いられる人工衛星（以下、ＧＰＳ衛星という。）から送信される信号を受信する受信回路である。
（３）判別部１０２
判別部１０２は、自機が他の通信に影響を与える位置に存在しているか否かを調べるために、ＧＰＳ受信部１０１で受信した信号の受信強度が予め定められた閾値以上であるか否かを判別するものである。
【００２１】
具体的には、判別部１０２は、携帯端末１０の位置を特定するために通信が行われた複数のＧＰＳ衛星のうち１つのＧＰＳ衛星から受信した信号について、当該信号の受信強度を算出する。以下に、受信強度の算出について説明する。判別部１０２は、受信した信号の搬送波対雑音比（Ｃ／Ｎ）を算出し、その値を受信強度とする。搬送波対雑音比とは、Ｃａｒｒｉｅｒ（キャリア：信号）の受信電力とＮｏｉｓｅ（ノイズ：雑音）の受信電力との比を表すものである。値“Ｃ／Ｎ”の算出には、ＧＰＳ信号の受信回路（ここでは、ＧＰＳ受信部１０１）が有する低雑音アンプ（ＬＮＡ）が用いられる。ＬＮＡとは、ＧＰＳ衛星から受信したＧＰＳ信号を増幅するものである。値“Ｃ”は、ＬＮＡの起動時、つまりＧＰＳ信号を受信し増幅する場合の受信電力を表す。また、値“Ｎ”は、ＬＮＡの未起動時、つまりＧＰＳ信号を受信しない、言い換えると雑音のみの受信電力を表す。
【００２２】
判別部１０２は、算出した値“Ｃ／Ｎ”が予め定められた閾値（例えば、３０ｄＢ）以上であるか否かを判別する。判別部１０２は、判別結果をテザリング制御部１０６へ通知する。
（４）通信部１０３
通信部１０３は、基地局との間でエリア信号、及び通話に係る信号等の送受信を行うものである。基地局から送信されるエリア信号には、当該基地局を含む通信システムを用いた通話等が利用可能な国を識別する国コードが含まれている。携帯端末１０は、受信したエリア信号に含まれる国コードにより、自機が現在位置する国を特定することができる。または、ユーザーが現在いる国を端末上から設定してもよい。
【００２３】
通信部１０３は、受信したエリア信号に含まれる国コードを取得し、取得した国コードをテザリング制御部１０６の周波数帯特定部１１０へ出力する。
また、通信部１０３は、テザリングの実施時には、インターネットを介して外部装置とデータの送受信を行う。具体的には、通信部１０３は、外部装置から受信したデータをテザリング制御部１０６へ出力する。また、通信部１０３は、テザリング制御部１０６から受け取ったデータを、インターネットを介して外部装置へ送信する。
【００２４】
（５）受付部１０４
受付部１０４は、タッチパネル機能により液晶ディスプレイ１１からのタッチ入力や文字入力による指示、及びキー操作部１２からのキー入力による指示を受け付けるものである。
具体的には、受付部１０４は、タッチパネル機能により液晶ディスプレイ１１からテザリングに利用する周波数帯の選択を受け付け、テザリング制御部１０６へ出力する。
【００２５】
（６）表示部１０５
表示部１０５は、図１に示す液晶ディスプレイ１１、及びタッチパネル機能（図示せず）等から構成され、各種画面を表示する。
以下、表示部１０５で表示され、テザリングで利用する周波数帯の選択に用いられる各種画面について説明する。
【００２６】
図３で示すように、テザリングで用いられる周波数帯は、大きく分けて、２ＧＨｚ帯の周波数帯と、５ＧＨｚ帯の周波数帯とがある。さらに、テザリングで用いられる５ＧＨｚ帯の周波数帯としては、５．２ＧＨｚ帯、５．３ＧＨｚ帯、及び５．６ＧＨｚ帯がある。
図４（ａ）は、テザリングで利用したい周波数帯について、２ＧＨｚ帯の周波数帯又は５ＧＨｚ帯の周波数帯の何れかを、ユーザに選択させるための選択画面Ｇ１００を示すものである。選択画面Ｇ１００には、２ＧＨｚ帯の周波数帯を選択するためのチェックボタンＧ１０１、５ＧＨｚ帯の周波数帯を選択するためのチェックボタンＧ１０２、選択の確定を受け付けるＯＫボタンＧ１０５が含まれている。例えば、受付部１０４は、チェックボタンＧ１０１及びチェックボタンＧ１０２の何れかのチェックを受け付け、その後、ＯＫボタンＧ１０５の押下を受け付けると、チェックボタンＧ１０１及びＧ１０２の何れかチェックされているボタンに対応する周波数帯を特定し、特定した周波数帯が選択された旨を示す第１選択指示をテザリング制御部１０６へ出力する。
【００２７】
また、図４（ｂ）は、選択画面Ｇ１００で５ＧＨｚ帯の周波数帯が選択された場合に、さらにテザリングで利用したい詳細な周波数帯（５．２ＧＨｚ帯、５．３ＧＨｚ帯、及び５．６ＧＨｚ帯）をユーザに選択させるための選択画面Ｇ２００を示すものである。選択画面Ｇ２００には、５．２ＧＨｚ帯の周波数帯を選択するためのチェックボタンＧ２０１、５．３ＧＨｚ帯の周波数帯を選択するためのチェックボタンＧ２０２、５．６ＧＨｚ帯の周波数帯を選択するためのチェックボタンＧ２０３、選択の確定を受け付けるＯＫボタンＧ２０５が含まれている。例えば、受付部１０４は、チェックボタンＧ２０１、チェックボタンＧ２０２及びチェックボタンＧ２０３の何れかのチェックを受け付け、その後、ＯＫボタンＧ２０５の押下を受け付けると、チェックボタンＧ２０１、Ｇ２０２及びＧ２０３の何れかチェックされているボタンに対応する周波数帯を特定し、特定した周波数帯が選択された旨を示す第２選択指示をテザリング制御部１０６へ出力する。
【００２８】
（７）テザリング制御部１０６
テザリング制御部１０６は、上述したように、周波数帯特定部１１０と無線部１１１とを含んでおり、ユーザが選択した周波数帯でのテザリングの可否の判断、及びテザリング可能と判断した場合には選択された周波数帯でテザリングを実施するものである。
以下、周波数帯特定部１１０及び無線部１１１について説明する。
【００２９】
（７−１）周波数帯特定部１１０
周波数帯特定部１１０は、国コードで示される国及びＧＰＳ受信部１０１で受信した信号の強度に基づいて、ユーザから選択された周波数帯が他の通信に影響を与えるか否かを判断するものである。
以下、携帯端末１０が日本で使用される場合を例として、具体的な機能について説明する。
【００３０】
周波数帯特定部１１０は、通信部１０３から出力された国コードを受け付ける。
周波数帯特定部１１０は、受付部１０４から第１選択指示を受け付けると、受け付けた第１選択指示が５ＧＨｚ帯を示している場合には、さらに受付部１０４から第２選択指示を受け付ける。
周波数帯特定部１１０は、通信部１０３から受け取った国コード及び記憶部１００で記憶している周波数情報テーブルＴ１００を用いて国コードで示される国に対応する５ＧＨｚ帯の周波数帯のうち周波数情報が示す値が“０”である１つ以上の周波数帯（ここでは、５．２ＧＨｚ帯、５．３ＧＨｚ帯であり、以下、これら周波数帯を「特定周波数帯」という。）を特定する。
【００３１】
周波数帯特定部１１０は、受け付けた第１選択指示が５ＧＨｚ帯を示す場合、さらに受け取った第２選択指示が示す周波数帯（つまりユーザにより選択された周波数帯）が特定周波数帯（５．２ＧＨｚ帯、５．３ＧＨｚ帯）の何れかと一致するか否かを判断する。
第２選択指示が示す周波数帯が特定周波数帯（５．２ＧＨｚ帯、５．３ＧＨｚ帯）の何れかと一致すると判断する場合には、周波数帯特定部１１０は、判別部１０２から判別部１０２のよる判別結果を受け取り、受け取った判別結果に基づいて、選択された周波数帯でのテザリング実施が他の通信に影響を与えるか否かを判断する。周波数帯特定部１１０は、選択された周波数帯でのテザリング実施が他の通信に影響を与えると判断する場合には、選択された周波数帯でのテザリング実施を抑止し、ユーザに再度選択、テザリングに利用する他の周波数帯を選択させるために、選択画面Ｇ１００を表示するよう表示部１０５を制御する。影響を与えないと判断する場合には、周波数帯特定部１１０は、選択された周波数帯でテザリングを実施するよう無線部１１１へ指示する。
【００３２】
また、受け付けた第１選択指示が２ＧＨｚ帯を示す場合、及び第２選択指示が示す周波数帯が特定周波数帯（５．２ＧＨｚ帯、５．３ＧＨｚ帯）の何れとも一致しない場合の何れかである場合には、周波数帯特定部１１０は、選択された周波数帯でテザリングを実施する旨の指示を、無線部１１１へ出力する。
（７−２）無線部１１１
無線部１１１は、周波数帯特定部１１０からテザリング実施の指示がされた周波数帯でテザリング実施、つまり終端端末との間で無線通信を実施する無線回路である。
【００３３】
無線部１１１は、テザリング実施の指示がされた周波数帯での無線通信で終端端末からデータを受信し、受信したデータを通信部１０３へ出力する。
無線部１１１は、通信部１０３から受け取ったデータを、テザリング実施の指示がされた周波数帯での無線通信で終端端末へ送信する。
２．動作
ここでは、携帯端末１０が、テザリングを実施する際の動作について、図５に示す流れ図を用いて説明する。
【００３４】
受付部１０４は、ユーザからテザリング実施の指示を受け付ける（ステップＳ５）。
通信部１０３は、エリア信号に含まれる国コードを取得する（ステップＳ１０）。
受付部１０４は、表示部１０５で表示されている選択画面Ｇ１００に対するタッチ操作からユーザがテザリング実施する際に所望する周波数帯の選択を受け付ける（ステップＳ１５）。
【００３５】
周波数帯特定部１１０は、ユーザが選択した周波数帯が５ＧＨｚ帯の周波数帯であるか否かを判断する（ステップＳ２０）。
周波数帯特定部１１０でユーザが選択した周波数帯が５ＧＨｚ帯の周波数帯であると判断された場合（ステップＳ２０における「Ｙｅｓ」）、受付部１０４は、さらに、表示部１０５で表示されている選択画面Ｇ２００に対するタッチ操作からユーザが複数の５ＧＨｚ帯の周波数帯のうちテザリング実施する際に所望する周波数帯の選択を受け付ける（ステップＳ２５）。
【００３６】
周波数帯特定部１１０は、ステップＳ１０で取得された国コードが示す国においてステップＳ２５で受け付けた周波数帯が他の通信で用いられる周波数帯に該当するか否かを、周波数情報テーブルＴ１００を用いて判断する（ステップＳ３０）。具体的には、周波数帯特定部１１０は、国コード及び周波数情報テーブルＴ１００を用いて国コードで示される国に対応する５ＧＨｚ帯の周波数帯のうち周波数情報が示す値が“０”である１つ以上の特定周波数帯を特定する。そして、周波数帯特定部１１０は、ステップＳ２５で受け付けた周波数帯が特定周波数帯の何れかと一致するか否かを判断する。
【００３７】
周波数帯特定部１１０においてステップＳ２５で受け付けた周波数帯が特定周波数帯の何れかと一致すると判断される場合（ステップＳ３０における「Ｙｅｓ」）、判別部１０２は、ＧＰＳ受信部１０１で受信した信号の受信強度を示す値“Ｃ／Ｎ”を算出する（ステップＳ３５）。判別部１０２は、算出した値“Ｃ／Ｎ”が閾値（例えば、３０ｄＢ）以上であるか否かを判断する（ステップＳ４０）。
【００３８】
判別部１０２で値“Ｃ／Ｎ”が閾値以上であると判断される場合には（ステップＳ４０における「Ｙｅｓ」）、周波数帯特定部１１０は、ステップＳ２５で選択された周波数帯でのテザリング実施を中止し（ステップＳ４５）、処理はステップＳ１５へ戻る。
ステップＳ１５において選択された周波数帯が２ＧＨｚ帯の周波数帯であると判断された場合（ステップＳ２０における「Ｎｏ」）、及びステップＳ２５で選択された周波数帯が他の通信で用いられる周波数帯に該当しないと判断された場合、つまりステップＳ２５で受け付けた周波数帯が特定周波数帯の何れとも一致しないと判断された場合（ステップＳ３０における「Ｎｏ」）、無線部１１１は、選択された周波数帯でテザリングを実施する（ステップＳ５０）。
【００３９】
また、判別部１０２で値“Ｃ／Ｎ”が閾値以上でないと判断される場合には（ステップＳ４０における「Ｎｏ」）、周波数帯特定部１１０は、上述したステップＳ５０を実行する。
３．変形例
以上、実施の形態に基づいて説明したが、本発明は上記の実施の形態に限られない。例えば、以下のような変形例が考えられる。
【００４０】
（１）上記実施の形態において、テザリングに利用する周波数帯はユーザにより選択されたが、これに限定されない。
周波数帯特定部１１０が、テザリングに利用する周波数帯を自動で選択してもよい。
この場合の動作について、図６に示す流れ図を用いて説明する。
受付部１０４は、ユーザからテザリング実施の指示を受け付ける（ステップＳ１００）。
【００４１】
通信部１０３は、エリア信号に含まれる国コードを取得する（ステップＳ１０５）。
周波数帯特定部１１０は、複数の周波数帯（ここでは、２．４ＧＨｚ帯、５．２ＧＨｚ帯、５．３ＧＨｚ帯、５．６ＧＨｚ帯）から周囲と干渉しないチャネル（空きチャネル）をサーチし、１つの空きチャネルを取得する（ステップＳ１１０）。例えば、周波数帯特定部１１０は、チャネルごとに、当該チャネルに属する周波数帯の信号の受信を行い、受信した信号の受信強度が所定値以下である場合には、当該周波数帯が属するチャネルは空きチャネルと特定する。
【００４２】
周波数帯特定部１１０は、取得した周波数帯が５ＧＨｚ帯の周波数帯であるか否かを判断する（ステップＳ１１５）。
取得した周波数帯が５ＧＨｚ帯の周波数帯であると判断された場合（ステップＳ１１５における「Ｙｅｓ」）、周波数帯特定部１１０は、ステップＳ１０５で取得された国コードが示す国においてステップＳ１１０で取得した空きチャネルの周波数帯が他の通信で用いられる周波数帯に該当するか否かを、周波数情報テーブルＴ１００を用いて判断する（ステップＳ１２０）。
【００４３】
周波数帯特定部１１０で取得した空きチャネルの周波数帯が他の通信で用いられる周波数帯に該当すると判断される場合（ステップＳ１２０における「Ｙｅｓ」）、判別部１０２は、ＧＰＳ受信部１０１で受信した信号の受信強度を示す値“Ｃ／Ｎ”を算出する（ステップＳ１２５）。判別部１０２は、算出した値“Ｃ／Ｎ”が閾値（例えば、３０ｄＢ）以上であるか否かを判断する（ステップＳ１３０）。
【００４４】
判別部１０２で値“Ｃ／Ｎ”が閾値以上であると判別される場合には（ステップＳ１３０における「Ｙｅｓ」）、周波数帯特定部１１０は、ステップＳ１１０で取得した周波数帯でのテザリング実施を中止し（ステップＳ１３５）、処理はステップＳ１１０へ戻る。
ステップＳ１１０で取得した周波数帯が２ＧＨｚ帯の周波数帯であると判断された場合（ステップＳ１１５における「Ｎｏ」）、及びステップＳ１１０で取得した周波数帯が他の通信で用いられる周波数帯に該当しないと判断された場合（ステップＳ１２０における「Ｎｏ」）、周波数帯特定部１１０は、選択された周波数帯でテザリングを実施する（ステップＳ１４０）。
【００４５】
なお、周波数帯特定部１１０は、ステップＳ１３５からステップＳ１１０へ処理が戻り、再度空きチャネルを取得する場合には、これまでに取得した空きチャネル以外のものを取得する。例えば、他の通信で用いられる周波数帯に該当しない周波数帯が取得されるまでの間に取得された空きチャネル（他の通信で用いられる周波数帯に該当する周波数帯のチャネル）全てを、一時的に記憶領域に記憶しておき、当該記憶領域に記憶されているチャネル全て除外した残りのチャネルから空きチャネルをサーチする。
【００４６】
また、ステップＳ１１５において、取得した周波数帯が５ＧＨｚ帯であるか否かを判断したが、当該ステップＳ１１５で、取得した周波数帯が２．４ＧＨｚ帯、５．２ＧＨｚ帯、５．３ＧＨｚ帯、５．６ＧＨｚ帯の何れであるかを判断してもよい。この場合、取得した周波数帯が５．２ＧＨｚ帯、５．３ＧＨｚ帯の何れかであると判断されると、処理はステップＳ１２５を実行し、取得した周波数帯が２．４ＧＨｚ帯、５．６ＧＨｚ帯の何れかであると判断されると、処理はステップＳ１４０を実行する。
【００４７】
また、空きチャネルのサーチは、５．６ＧＨｚ帯、５．３ＧＨｚ帯、５．２ＧＨｚ帯、２．４ＧＨｚ帯の順に行われてもよい。この順序でサーチを行うことで、２．４ＧＨｚ帯での通信よりも高速に通信を行うことのできる５ＧＨｚ帯の周波数帯を優先的にサーチし、使用することができる。
（２）上記実施の形態において、テザリング実施に用いる周波数帯をユーザに選択させる場合、選択画面Ｇ１００、Ｇ２００を用いたが、これに限定されない。
【００４８】
例えば、１つの画面で、２．４ＧＨｚ帯、５．２ＧＨｚ帯、５．３ＧＨｚ帯、５．６ＧＨｚ帯の何れかを選択させてもよい。
この場合、図５に示すステップＳ２０では、選択された周波数帯が２．４ＧＨｚ帯、５．２ＧＨｚ帯、５．３ＧＨｚ帯、５．６ＧＨｚ帯の何れであるかを判断、つまり選択された周波数帯が他の通信で用いられる周波数帯に該当するか否かを判断する。選択された周波数帯が５．２ＧＨｚ帯、５．３ＧＨｚ帯の何れかであると判断する場合には、処理はステップＳ３５を実行する。選択された周波数帯が２．４ＧＨｚ帯、５．６ＧＨｚ帯の何れかであると判断する場合には、処理はステップＳ５０を実行する。
【００４９】
（３）上記実施の形態において、５．２ＧＨｚ帯、５．３ＧＨｚ帯の何れかをテザリング実施に用いるか否かの可否をテザリング実施開始時に行っているが、これに限定されない。
テザリング実施中において、定期的に、判別部１０２はＧＰＳ受信部１０１で受信した信号の受信強度のチェックを行い、周波数帯特定部１１０は判別部１０２のチェック結果に基づいてテザリングで使用中の周波数帯の利用の可否を判断してもよい。
【００５０】
この場合、周波数帯特定部１１０は、テザリングで使用中の周波数帯の利用不可であると判断した場合には、現在利用中の周波数帯から他の通信で用いられる周波数帯に該当しない周波数帯へと切り替えを行ってもよいし、テザリングを中止してもよい。または、ユーザに他の通信に影響を与える旨のメッセージを表示して、テザリングに利用する周波数帯の変更を促すようにしてもよい。
【００５１】
（４）上記実施の形態において、携帯端末１０は、テザリングで利用すべき周波数帯が選択された後に、判別部１０２による判別を実施したが、これに限定されない。
携帯端末１０は、受付部１０４でテザリング実施の指示を受け付けた後、判別部１０２でＧＰＳ衛星からの信号の受信強度が閾値以上であるか否かを判断し、その後ユーザにテザリングで使用する周波数帯を選択させてもよい。
【００５２】
この場合、携帯端末１０は、判別部１０２がＧＰＳ衛星からの信号の受信強度が閾値以上であると判断する場合には、テザリングで使用する周波数帯として２．４ＧＨｚ帯及び５．６ＧＨｚ帯の何れかを選択させる画面を表示部１０５に表示する。そして、受付部１０６は、タッチパネル機能により、２．４ＧＨｚ帯及び５．６ＧＨｚ帯の周波数帯からテザリングに利用する１つの周波数帯をユーザから受け付ける。また、携帯端末１０は、判別部１０２がＧＰＳ衛星からの信号の受信強度が閾値以上でないと判断する場合には、テザリングで使用する周波数帯として２．４ＧＨｚ帯、５．２ＧＨｚ帯、５．３ＧＨｚ帯及び５．６ＧＨｚ帯の何れかを選択させる画面を表示部１０５に表示する。そして、受付部１０６は、タッチパネル機能により、これら４つの周波数帯からテザリングに利用する１つの周波数帯をユーザから受け付ける。
【００５３】
または、携帯端末１０は、判別部１０２による判別後、テザリングで使用する周波数帯の空きチャネルをサーチしてもよい。具体的には、携帯端末１０は、受付部１０４でテザリング実施の指示を受け付けた後、判別部１０２でＧＰＳ衛星からの信号の受信強度が閾値以上であるか否かを判断し、受信強度が閾値以上であると判断する場合には、２．４ＧＨｚ帯及び５．６ＧＨｚ帯から空きチャネルをサーチする。
【００５４】
（５）上記実施の形態では、判別部１０２は携帯端末１０の位置を特定するために通信が行われた複数のＧＰＳ衛星のうち１つのＧＰＳ衛星から受信した信号の受信強度を算出したが、これに限定されない。
複数のＧＰＳ衛星から受信した各信号を用いて、受信強度を算出してもよい。
例えば、判別部１０２は、複数のＧＰＳ衛星からの信号それぞれから、Ｃ／Ｎの値を算出し、算出した値“Ｃ／Ｎ”の平均値を受信強度の値としてもよいし、算出した各値“Ｃ／Ｎ”のうち最大値を受信強度の値としてもよい。
【００５５】
また、ＧＰＳ衛星からの信号の受信強度の算出の一例として、ＬＮＡの起動時における受信電力と、ＬＮＡの未起動時における受信電力とを用いた算出手法について説明したが、他の算出手法を用いてもよい。
（６）上記実施の形態では、携帯端末１０は、一例として携帯電話機であるとしたが、これに限定されない。
【００５６】
本発明の携帯端末は、携帯電話機の他に、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙ−ｐｈｏｎｅ  Ｓｙｓｔｅｍ）等のように、電話回線網によりインターネット上のサーバ装置とアクセスできるものであればよい。
（７）上記実施の形態において、周波数情報は、“０”又は“１”の値が設定されるとしたが、これに限定されない。
【００５７】
周波数情報には、当該周波数情報に対応する周波数帯が他の通信で用いられる周波数帯に該当するものであるか否かを識別することのできる値等の情報であれば、“０”、“１”以外の値等の情報を設定してもよい。
（８）上記実施の形態において、携帯端末１０は、判別部１０２でＧＰＳ衛生からの信号の受信強度が閾値以上であると判別する場合に、選択された周波数帯が他の通信で用いられる周波数帯に該当するときには、選択された周波数帯でのテザリングの実施を抑止したが、これに限定されない。
【００５８】
携帯端末１０は、判別部１０２でＧＰＳ衛生からの信号の受信強度が閾値以上であると判別する場合に、選択された周波数帯が他の通信で用いられる周波数帯に該当する、該当しないに関わらず、選択された周波数帯でのテザリングの実施を抑止してもよい。
（９）上記の実施の形態及び変形例で説明した手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【００５９】
また、当該手法の手順を記述したプログラムを記録媒体に格納して、頒布するようにしてもよい。なお、上記プログラムを記憶する媒体としては、例えば、フラッシュメモリや、ＵＳＢメモリやＳＤカード（登録商標）などの外部メモリを一例として挙げることができる。
（１０）上記実施の形態及び変形例を組み合わせるとしてもよい。
【００６０】
１．５  補足
（１）本発明の一態様である、テザリング機能による通信を行う携帯端末は、ＧＰＳ受信部と、前記ＧＰＳ受信部で受信される信号の受信強度が予め定められた閾値以上であるか否かを判別する判別部と、前記判別部にて前記受信強度が前記閾値以上であると判別された場合、前記テザリングの実施を抑止するテザリング制御部とを備えることを特徴とする。
【００６１】
この構成によると、携帯端末は、テザリングを適切に実施することができる。携帯端末は、ＧＰＳ受信部による信号の受信強度が閾値以上であると判別する場合には、携帯端末の上空には障害物はない、つまり自機とＧＰＳの衛星以外の他の衛星との間にも障害物がないと考えられ、このような状況で、例えば他の衛星を用いた他の通信で用いられる周波数帯に該当する周波数帯でテザリングを実施すると、他の通信に影響を与える可能性がある。携帯端末は、ＧＰＳ受信部による信号の受信強度が閾値以上であると判別する場合には、テザリング実施を抑止することで、テザリングによる他の通信への影響を防ぐことができる。
【００６２】
（２）ここで、前記テザリング制御部は、前記テザリングで利用可能な複数の周波数帯のうち一の周波数帯を特定し、前記特定した前記周波数帯が所定の周波数帯に該当するか否かを判断し、前記特定した前記周波数帯が前記所定の周波数帯に該当しないと判断した場合に、特定した前記周波数帯でテザリングを実施するとしてもよい。
この構成によると、携帯端末は、テザリングに利用可能な複数の周波数帯のうち特定された一の周波数帯が所定の周波数帯に該当するか否かによりテザリングに利用可能であるか否かを判断することができる。
【００６３】
（３）ここで、前記テザリング制御部は、前記複数の周波数帯のうち、ユーザによって選択された一の周波数帯を受け付けることで、前記特定を行うとしてもよい。
この構成によると、携帯端末は、ユーザの選択によりテザリングで利用する周波数帯を特定するので、ユーザは自身が所望する周波数帯でのテザリングを利用することができる。
【００６４】
（４）ここで、前記携帯端末は、さらに、前記判別部で前記受信強度が前記閾値以上であると判別された場合、前記複数の周波数帯のうち前記特定された周波数帯を除く残りの周波数帯に対して、前記所定の周波数帯に該当しない周波数帯が特定されるまで、前記テザリング制御部による前記特定及び前記判断と、前記判別部による前記判別を繰り返すよう制御する制御部を備えるとしてもよい。
【００６５】
この構成によると、携帯端末は、ＧＰＳ受信部で受信される信号の受信強度が閾値以上である場合には、テザリング制御部により一の周波数帯の選択及び選択された一の周波数帯が所定の周波数帯に該当するか否かの判断を、所定の周波数帯に該当しない周波数帯が選択されるまで繰り返すことができる。
（５）ここで、前記テザリング制御部は、前記判別部で前記受信強度が前記閾値以上であると判別された場合、前記複数の周波数帯のうち、前記所定の周波数帯に該当する周波数帯を除く残りの周波数帯から一の周波数帯を特定し、特定した前記一の周波数帯でテザリングを実施するとしてもよい。
【００６６】
この構成によると、携帯端末は、ＧＰＳ受信部で受信される信号の受信強度が閾値以上である場合には、テザリングに利用可能であって、所定の周波数帯に該当しない周波数帯から一の周波数帯を特定することができる。
【産業上の利用可能性】
【００６７】
本発明は、テザリング可能な複数の周波数帯のうち一の周波数帯でテザリングを実施する携帯端末に有効である。
【符号の説明】
【００６８】
１０    携帯端末
１１    液晶ディスプレイ
１２    キー操作部
１３    スピーカ
１４    マイクロフォン
１００    記憶部
１０１    ＧＰＳ受信部
１０２    判別部
１０３    通信部
１０４    受付部
１０５    表示部
１０６    テザリング制御部
１１０    周波数帯特定部
１１１    無線部
【図１】
2014107706.tif 000003
【図２】
2014107706.tif 000004
【図３】
2014107706.tif 000005
【図４】
2014107706.tif 000006
【図５】
2014107706.tif 000007
【図６】
2014107706.tif 000008